(57)【特許請求の範囲】
【請求項１】
搬送波集成を支援する無線通信システムにおいて複数セルを用いる端末の信号送受信方法であって、
上りリンクがプライマリーセル（ＰＣｅｌｌ）からの第１上りリンクサブフレーム内でスケジューリングされるか否かの確率に関する第１情報と上りリンクがセカンダリーセル（ＳＣｅｌｌ）からの第２上りリンクサブフレーム内でスケジューリングされるか否かの確率に関する第２情報とを受信するステップと、
相異なる上りリンク−下りリンク設定に従う前記ＰＣｅｌｌ及び前記ＳＣｅｌｌのための上りリンク制御情報を受信するステップと、
前記第１情報と前記第２情報の少なくとも１つに基づいて、前記上りリンク制御情報により上りリンク信号を送信するようスケジューリングされた第３上りリンクサブフレーム内で、前記上りリンク信号が送信されるか否かを決定するステップと、
前記端末が前記第３上りリンクサブフレーム内で前記上りリンク信号を送信することを決定した場合、前記上りリンク信号を送信するステップと、
を有し、
前記第３上りリンクサブフレームが前記第１上りリンクサブフレームの１つである場合、前記上りリンク信号が前記ＰＣｅｌｌを用いて送信され、前記第３上りリンクサブフレームが前記第２上りリンクサブフレームの１つである場合、前記上りリンク信号が前記ＳＣｅｌｌを用いて送信される、信号送受信方法。
【請求項２】
時間区間内で、前記ＰＣｅｌｌが上りリンクサブフレームに相当し、前記ＳＣｅｌｌが下りリンクサブフレームに相当する場合、前記時間区間内で前記ＳＣｅｌｌを用いて下りリンク信号が受信される、請求項１に記載の信号送受信方法。
【請求項３】
下りリンク信号受信動作によるＨＡＲＱ−ＡＣＫ情報を、セルフ−スケジューリング関連下りリンクＨＡＲＱタイムラインを用いてフィードバックするステップをさらに含む、請求項２に記載の信号送受信方法。
【請求項４】
前記セルフ−スケジューリング関連下りリンクＨＡＲＱタイムラインは、前記ＰＣｅｌｌの下りリンクサブフレームと前記ＳＣｅｌｌの下りリンクサブフレームの両方を含むように定義された上りリンク−下りリンク設定関連下りリンクＨＡＲＱタイムラインである、請求項３に記載の信号送受信方法。
【請求項５】
搬送波集成を支援する無線通信システムにおいて複数セルを用いた信号送受信を行う端末であって、
無線周波数ユニットと、
プロセッサと、を含み、
前記プロセッサは、
上りリンクがプライマリーセル（ＰＣｅｌｌ）からの第１上りリンクサブフレーム内でスケジューリングされるか否かの確率に関する第１情報と上りリンクがセカンダリーセル（ＳＣｅｌｌ）からの第２上りリンクサブフレーム内でスケジューリングされるか否かの確率に関する第２情報とを受信し、
相異なる上りリンク−下りリンク設定に従う前記ＰＣｅｌｌ及び前記ＳＣｅｌｌのための上りリンク制御情報を受信し、
前記第１情報と前記第２情報の少なくとも１つに基づいて、前記上りリンク制御情報により上りリンク信号を送信するようスケジューリングされた第３上りリンクサブフレーム内で、前記上りリンク信号が送信されるか否かを決定し、
前記端末が前記第３上りリンクサブフレーム内で前記上りリンク信号を送信することを決定した場合、前記上りリンク信号を送信するよう構成され、
前記第３上りリンクサブフレームが前記第１上りリンクサブフレームの１つである場合、前記上りリンク信号が前記ＰＣｅｌｌを用いて送信され、前記第３上りリンクサブフレームが前記第２上りリンクサブフレームの１つである場合、前記上りリンク信号が前記ＳＣｅｌｌを用いて送信される、端末。
【発明の詳細な説明】
【技術分野】
【０００１】
本発明は無線通信システムに関するもので、より詳しくは搬送波集成を支援する無線通信システムにおける信号送受信方法及びそのための装置に関するものである。
【背景技術】
【０００２】
本発明を適用できる無線通信システムの一例として、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」という。）通信システムについて概略的に説明する。
【０００３】
図１は、無線通信システムの一例としてＥ−ＵＭＴＳネットワーク構造を概略的に示す図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進展したシステムであり、現在３ＧＰＰで基礎的な標準化作業が進行中である。一般に、Ｅ−ＵＭＴＳをＬＴＥ（Ｌｏｎｇ  Ｔｅｒｍ  Ｅｖｏｌｕｔｉｏｎ）システムと呼ぶこともできる。ＵＭＴＳ及びＥ−ＵＭＴＳの技術規格（ｔｅｃｈｎｉｃａｌ  ｓｐｅｃｉｆｉｃａｔｉｏｎ）の詳細な内容はそれぞれ、「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ  ７及びＲｅｌｅａｓｅ  ８を参照するとよい。
【０００４】
図１を参照すると、Ｅ−ＵＭＴＳは、端末（Ｕｓｅｒ  Ｅｑｕｉｐｍｅｎｔ；ＵＥ）、基地局（ｅＮｏｄｅＢ；ｅＮＢ）、及びネットワーク（Ｅ−ＵＴＲＡＮ）の終端に位置して外部ネットワークに接続するアクセスゲートウェイ（Ａｃｃｅｓｓ  Ｇａｔｅｗａｙ；ＡＧ）を含んでいる。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．２５、２．５、５、１０、１５、２０ＭＨｚなどの帯域幅のいずれか一つに設定され、複数の端末に下り又は上り送信サービスを提供する。異なったセルは、互いに異なった帯域幅を提供するように設定されればよい。基地局は、複数の端末に関するデータ送受信を制御する。下りリンク（Ｄｏｗｎｌｉｎｋ；ＤＬ）データについて、基地局は下りリンクスケジューリング情報を送信し、該当端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、上りリンク（Ｕｐｌｉｎｋ；ＵＬ）データについて、基地局は上りリンクスケジューリング情報を該当端末に送信し、該当端末が使用可能な時間／周波数領域、符号化、データサイズ、ＨＡＲＱ関連情報などを知らせる。基地局同士の間には、ユーザトラフィック又は制御トラフィックの送信のためのインターフェースを用いることができる。コアネットワーク（Ｃｏｒｅ  Ｎｅｔｗｏｒｋ；ＣＮ）は、ＡＧ、及び端末のユーザ登録などのためのネットワークノードなどで構成可能である。ＡＧは、複数のセルで構成されるＴＡ（Ｔｒａｃｋｉｎｇ  Ａｒｅａ）単位に端末の移動性を管理する。
【０００６】
無線通信技術は、ＷＣＤＭＡに基づいてＬＴＥにまで開発されてきたが、ユーザと事業者の要求と期待は増す一方である。その上、他の無線接続技術の開発が続いており、将来、競争力を有するためには新しい技術進化が要求される。ビット当たりのコストの削減、サービス可用性の増大、柔軟な周波数バンドの使用、単純構造と開放型インターフェース、端末の適度な電力消耗などが要求される。
【発明の概要】
【発明が解決しようとする課題】
【０００７】
上述したような論議に基づき、以下では搬送波集成を支援する無線通信システムにおける信号送受信方法及びそのための装置を提案しようとする。
【０００８】
本発明で遂げようとする技術的課題は、以上に言及した技術的課題に制限されず、言及していない他の技術的課題は、以下の記載から、本発明の属する技術の分野における通常の知識を有する者には明確に理解されるであろう。
【課題を解決するための手段】
【０００９】
上述した問題点を解決するための本発明の一態様による、搬送波集成（Ｃａｒｒｉｅｒ  Ａｇｇｒｅｇａｔｉｏｎ）を支援する無線通信システムにおいて端末の多数セル（ｃｅｌｌ）を用いる信号送受信方法は、相異なる上りリンク−下りリンク設定（Ｕｐｌｉｎｋ−Ｄｏｗｎｌｉｎｋ  Ｃｏｎｆｉｇｕｒａｔｉｏｎ）による、プライマリーセル（Ｐｒｉｍａｒｙ  Ｃｅｌｌ、ＰＣｅｌｌ）及びセカンダリーセル（Ｓｅｃｏｎｄａｒｙ  Ｃｅｌｌ、ＳＣｅｌｌ）のための伝送制御情報を受信する段階、前記伝送制御情報によって特定の時間区間上で信号を送受信する段階、及び前記伝送制御情報で前記特定の時間区間上の信号送信を指示しない場合、前もって定義された設定による信号送受信動作を行う段階を含む。
【００１０】
また、前記特定の時間区間上で、前記プライマリーセルが上りリンクサブフレームであり、前記セカンダリーセルが下りリンクサブフレームである場合、前記特定の時間区間上で前記セカンダリーセルを用いて下りリンク信号受信動作を行うことを特徴とすることができる。また、前記下りリンク信号受信動作によるＨＡＲＱ−ＡＣＫ情報を、セルフ−スケジューリング関連下りリンクＨＡＲＱタイムラインを用いてフィードバックする段階をさらに含むことを特徴とすることができる。好ましくは、前記セルフ−スケジューリング関連下りリンクＨＡＲＱタイムラインは、前記プライマリーセルの下りリンクサブフレーム集合と前記セカンダリーセルの下りリンクサブフレーム集合を全て含むように定義された上りリンク−下りリンク設定関連下りリンクＨＡＲＱタイムラインであることを特徴とすることができる。
【００１１】
また、前記特定の時間区間上で、前記プライマリーセルがスペシャルサブフレームであり、前記セカンダリーセルが下りリンクサブフレームである場合、前記特定の時間区間の少なくとも一部で前記セカンダリーセルを用いて下りリンク信号受信動作を行うことを特徴とすることができる。また、前記特定の時間区間の少なくとも一部は、前記プライマリーセルのスペシャルサブフレーム上のＵｐＰＴＳと対応する時間区間を含むことを特徴とすることができる。
【００１２】
また、前記特定の時間区間上で、前記プライマリーセルが下りリンクサブフレームであり、前記セカンダリーセルが上りリンクサブフレームである場合、前記特定の時間区間上で前記セカンダリーセルを用いて前もって定義された上りリンク信号を送信する動作を行うことを特徴とすることができる。また、前記前もって定義された上りリンクを送信する動作は、前記セカンダリーセルの上りリンクサブフレーム上での上りリンク信号伝送のためのトリガリング情報を受信した場合に行うことを特徴とする。
【００１３】
また、前記特定の時間区間上で、前記プライマリーセルが下りリンクサブフレームであり、前記セカンダリーセルがスペシャルサブフレームである場合、前記特定の時間区間の少なくとも一部で前記セカンダリーセルを用いて下りリンク信号受信動作を行うことを特徴とすることができる。
【００１４】
また、特定の上りリンクサブフレームに関連した上りリンク信号／上りリンクチャネルスケジューリング可否を指示する情報を受信する段階をさらに含むことを特徴とすることができる。
【００１５】
上述した問題点を解決するための本発明の他の態様による、搬送波集成（Ｃａｒｒｉｅｒ  Ａｇｇｒｅｇａｔｉｏｎ）を支援する無線通信システムにおいて多数セル（ｃｅｌｌ）を用いる信号送受信を行う端末は、無線周波数ユニット、及びプロセッサを含み、前記プロセッサは、相異なる上りリンク−下りリンク設定（Ｕｐｌｉｎｋ−Ｄｏｗｎｌｉｎｋ  Ｃｏｎｆｉｇｕｒａｔｉｏｎ）による、プライマリーセル（Ｐｒｉｍａｒｙ  Ｃｅｌｌ、ＰＣｅｌｌ）及びセカンダリーセル（Ｓｅｃｏｎｄａｒｙ  Ｃｅｌｌ、ＳＣｅｌｌ）のための伝送制御情報を受信し、前記伝送制御情報によって特定の時間区間上で信号を送受信するように構成され、前記伝送制御情報で前記特定の時間区間上の信号送信を指示しない場合、前もって定義された設定による信号送受信動作を遂行するようにさらに構成されることを特徴とする。
【発明の効果】
【００１６】
本発明の実施例によると、無線通信システムにおいて信号送受信を効率的に遂行することができる。
【００１７】
本発明で得られる効果は、以上に言及した効果に制限されず、言及していない別の効果は、下の記載から、本発明の属する技術の分野における通常の知識を有する者には明確に理解可能であろう。
【図面の簡単な説明】
【００１８】
本発明の理解を助けるために詳細な説明の一部として含まれる添付図面は本発明の実施例を提供し、詳細な説明と一緒に本発明の技術的思想を説明する。
【図１】無線通信システムの一例としてＥ−ＵＭＴＳネットワーク構造を概略的に示す図である。
【図２】３ＧＰＰ無線接続ネットワーク規格に基づく端末とＥ−ＵＴＲＡＮ間の無線インターフェースプロトコル（Ｒａｄｉｏ  Ｉｎｔｅｒｆａｃｅ  Ｐｒｏｔｏｃｏｌ）のコントロールプレーン（Ｃｏｎｔｒｏｌ  Ｐｌａｎｅ）及びユーザプレーン（Ｕｓｅｒ  Ｐｌａｎｅ）構造を示す図である。
【図３】３ＧＰＰシステムに用いられる物理チャネル及びこれらのチャネルを用いた一般的な信号送信方法を説明するための図である。
【図４】ＬＴＥシステムで用いられる無線フレームの構造を例示する図である。
【図５】下りリンクスロットに対するリソースグリッド（ｒｅｓｏｕｒｃｅ  ｇｒｉｄ）を例示する。
【図６】ＬＴＥシステムで使われる下りリンク無線フレームの構造を例示する。
【図７】ＬＴＥシステムで使われる上りリンクサブフレームの構造を例示する。
【図８】搬送波集成（Ｃａｒｒｉｅｒ  Ａｇｇｒｅｇａｔｉｏｎ）を説明するための参照図である。
【図９】搬送波集成（Ｃａｒｒｉｅｒ  Ａｇｇｒｅｇａｔｉｏｎ）を説明するための参照図である。
【図１０】本発明で提案する方案が適用されるシナリオを説明するための参照図である。
【図１１】本発明で提案する方案が適用されるシナリオを説明するための参照図である。
【図１２】本発明の一実施例に適用可能な基地局及び端末を示す。
【発明を実施するための形態】
【００１９】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ―ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などの多様な無線接続システムに使うことができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００などの無線技術によって具現することができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）などの無線技術によって具現することができる。ＯＦＤＭＡは、ＩＥＥＥ  ８０２．１１（Ｗｉ―Ｆｉ）、ＩＥＥＥ  ８０２．１６（ＷｉＭＡＸ）、ＩＥＥＥ  ８０２―２０、Ｅ―ＵＴＲＡ（Ｅｖｏｌｖｅｄ  ＵＴＲＡ）などの無線技術によって具現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（ｌｏｎｇ  ｔｅｒｍ  ｅｖｏｌｕｔｉｏｎ）は、Ｅ―ＵＴＲＡを使うＥ―ＵＭＴＳ（Ｅｖｏｌｖｅｄ  ＵＭＴＳ）の一部であって、下りリンクでＯＦＤＭＡを採用し、上りリンクでＳＣ―ＦＤＭＡを採用する。ＬＴＥ―Ａ（Ａｄｖａｎｃｅｄ）は、３ＧＰＰ  ＬＴＥの進化したバージョンである。
【００２０】
説明を明確にするために、３ＧＰＰ  ＬＴＥ／ＬＴＥ―Ａを中心に記述するが、本発明の技術的思想がこれに制限されることはない。また、以下の説明で使用される特定用語は、本発明の理解を促進するために提供されたものであって、このような特定用語の使用は、本発明の技術的思想から逸脱しない範囲で他の形態に変更可能である。
【００２１】
図２は、３ＧＰＰ無線接続網規格に基づく端末とＥ−ＵＴＲＡＮとの間の無線インターフェースプロトコル（Ｒａｄｉｏ  Ｉｎｔｅｒｆａｃｅ  Ｐｒｏｔｏｃｏｌ）のコントロールプレーン及びユーザプレーンの構造を示す図である。コントロールプレーンとは、端末（ＵＥ）とネットワークとが呼を管理するために用いる制御メッセージが送信される通路のことを意味する。ユーザプレーンとは、アプリケーション層で生成されたデータ、例えば、音声データ又はインターネットパケットデータなどが送信される通路のことを意味する。
【００２２】
第１層である物理層は、物理チャネル（Ｐｈｙｓｉｃａｌ  Ｃｈａｎｎｅｌ）を用いて上位層に情報送信サービス（Ｉｎｆｏｒｍａｔｉｏｎ  Ｔｒａｎｓｆｅｒ  Ｓｅｒｖｉｃｅ）を提供する。物理層は、上位の媒体接続制御（Ｍｅｄｉｕｍ  Ａｃｃｅｓｓ  Ｃｏｎｔｒｏｌ）層とは送信チャネル（Ｔｒａｎｓｐｏｒｔ  Ｃｈａｎｎｅｌ）を介して接続されている。該送信チャネルを通じて媒体接続制御層と物理層との間にデータが移動する。送信側の物理層と受信側の物理層との間には物理チャネルを通じてデータが移動する。該物理チャネルは、時間及び周波数を無線リソースとして活用する。具体的に、物理チャネルは、下りリンクにおいてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクにおいてＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００２３】
第２層の媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を通じて、上位層である無線リンク制御（Ｒａｄｉｏ  Ｌｉｎｋ  Ｃｏｎｔｒｏｌ；ＲＬＣ）層にサービスを提供する。第２層のＲＬＣ層は、信頼できるデータ送信を支援する。ＲＬＣ層の機能は、ＭＡＣ内部の機能ブロックとしてもよい。第２層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰｖ４やＩＰｖ６のようなＩＰパケットを效率的に送信するために、余分の制御情報を減らすヘッダー圧縮（Ｈｅａｄｅｒ  Ｃｏｍｐｒｅｓｓｉｏｎ）機能を果たす。
【００２４】
第３層の最下部に位置する無線リソース制御（Ｒａｄｉｏ  Ｒｅｓｏｕｒｃｅ  Ｃｏｎｔｒｏｌ；ＲＲＣ）層は、コントロールプレーンにのみ定義される。ＲＲＣ層は、無線ベアラー（Ｒａｄｉｏ  Ｂｅａｒｅｒ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）に関連して、論理チャネル、送信チャネル及び物理チャネルの制御を担当する。無線ベアラー（ＲＢ）とは、端末とネットワーク間のデータ伝達のために第２層により提供されるサービスのことを意味する。そのために、端末のＲＲＣ層とネットワークのＲＲＣ層とはＲＲＣメッセージを互いに交換する。端末のＲＲＣ層とネットワークのＲＲＣ層間にＲＲＣ接続（ＲＲＣ  Ｃｏｎｎｅｃｔｅｄ）がある場合に、端末はＲＲＣ接続状態（Ｃｏｎｎｅｃｔｅｄ  Ｍｏｄｅ）にあり、そうでない場合は、ＲＲＣ休止状態（Ｉｄｌｅ  Ｍｏｄｅ）にあるようになる。ＲＲＣ層の上位にあるＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を果たす。
【００２５】
基地局（ｅＮＢ）を構成する一つのセルは、１．２５、２．５、５、１０、１５、２０ＭＨｚなどの帯域幅のいずれか一つとして設定され、複数の端末に下り又は上り送信サービスを提供する。互いに異なるセルは、互いに異なる帯域幅を提供するように設定することができる。
【００２６】
ネットワークから端末にデータを送信する下り送信チャネルとしては、システム情報を送信するＢＣＨ（Ｂｒｏａｄｃａｓｔ  Ｃｈａｎｎｅｌ）、ページングメッセージを送信するＰＣＨ（Ｐａｇｉｎｇ  Ｃｈａｎｎｅｌ）、ユーザトラフィックや制御メッセージを送信する下りＳＣＨ（Ｓｈａｒｅｄ  Ｃｈａｎｎｅｌ）などがある。下りマルチキャスト又は放送サービスのトラフィック又は制御メッセージは、下りＳＣＨを介して送信されてもよく、別の下りＭＣＨ（Ｍｕｌｔｉｃａｓｔ  Ｃｈａｎｎｅｌ）を通じて送信されてもよい。一方、端末からネットワークにデータを送信する上り送信チャネルとしては、初期制御メッセージを送信するＲＡＣＨ（Ｒａｎｄｏｍ  Ａｃｃｅｓｓ  Ｃｈａｎｎｅｌ）、ユーザトラフィックや制御メッセージを送信する上りＳＣＨ（Ｓｈａｒｅｄ  Ｃｈａｎｎｅｌ）がある。送信チャネルの上位に存在し、送信チャネルにマッピングされる論理チャネル（Ｌｏｇｉｃａｌ  Ｃｈａｎｎｅｌ）としては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００２７】
図３は、３ＧＰＰ  ＬＴＥシステムに用いられる物理チャネル及びこれらを用いた一般的な信号送信方法を説明するための図である。
【００２８】
電源が消えた状態で再び電源が入ったり、新しくセルに進入したりしたユーザ機器は、段階Ｓ３０１で、基地局と同期を取る等の初期セル探索（Ｉｎｉｔｉａｌ  ｃｅｌｌ  ｓｅａｒｃｈ）作業を行う。そのために、ユーザ機器は、基地局からプライマリー同期チャネル（Ｐｒｉｍａｒｙ  Ｓｙｎｃｈｒｏｎｉｚａｔｉｏｎ  Ｃｈａｎｎｅｌ、Ｐ−ＳＣＨ）及びセカンダリー同期チャネル（Ｓｅｃｏｎｄａｒｙ  Ｓｙｎｃｈｒｏｎｉｚａｔｉｏｎ  Ｃｈａｎｎｅｌ、Ｓ−ＳＣＨ）を受信して基地局と同期を取り、セルＩＤなどの情報を取得する。その後、ユーザ機器は、基地局から物理放送チャネル（Ｐｈｙｓｉｃａｌ  Ｂｒｏａｄｃａｓｔ  Ｃｈａｎｎｅｌ）を受信し、セル内の放送情報を取得することができる。一方、ユーザ機器は、初期セル探索段階で、下りリンク参照信号（Ｄｏｗｎｌｉｎｋ  Ｒｅｆｅｒｅｎｃｅ  Ｓｉｇｎａｌ、ＤＬ  ＲＳ）を受信し、下りリンクチャネル状態を確認することができる。
【００２９】
初期セル探索を終えたユーザ機器は、段階Ｓ３０２で、物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）、及び物理下りリンク制御チャネル情報による物理下りリンク共有チャネル（Ｐｈｙｓｉｃａｌ  Ｄｏｗｎｌｉｎｋ  Ｃｏｎｔｒｏｌ  Ｃｈａｎｎｅｌ、ＰＤＳＣＨ）を受信し、より具体的なシステム情報を取得することができる。
【００３０】
その後、ユーザ機器は、基地局への接続を完了するために、以降の段階Ｓ３０３〜段階Ｓ３０６などのランダムアクセス過程（Ｒａｎｄｏｍ  Ａｃｃｅｓｓ  Ｐｒｏｃｅｄｕｒｅ）を行うことができる。このために、ユーザ機器は、物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）を介してプリアンブルを送信し（Ｓ３０３）、物理下りリンク制御チャネル及びこれに対応する物理下りリンク共有チャネルを介してプリアンブルに対する応答メッセージを受信することができる（Ｓ３０４）。競合ベースのランダムアクセスの場合、追加的な物理ランダムアクセスチャネルの送信（Ｓ３０５）、及び物理下りリンク制御チャネル及びこれに対応する物理下りリンク共有チャネルの受信（Ｓ３０６）などの衝突解決手続（Ｃｏｎｔｅｎｔｉｏｎ  Ｒｅｓｏｌｕｔｉｏｎ  Ｐｒｏｃｅｄｕｒｅ）を行うことができる。
【００３１】
上述の手続を行ったユーザ機器は、以降、一般的な上りリンク／下りリンク信号送信手続として、物理下りリンク制御チャネル／物理下りリンク共有チャネルの受信（Ｓ３０７）、及び物理上りリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）の送信（Ｓ３０８）を行うことができる。ユーザ機器が基地局に送信する制御情報を上りリンク制御情報（Ｕｐｌｉｎｋ  Ｃｏｎｔｒｏｌ  Ｉｎｆｏｒｍａｔｉｏｎ、ＵＣＩ）と総称する。ＵＣＩは、ＨＡＲＱ  ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＳＩ（Ｃｈａｎｎｅｌ  Ｓｔａｔｅ  Ｉｎｆｏｒｍａｔｉｏｎ）などを含む。本明細書において、ＨＡＲＱ  ＡＣＫ／ＮＡＣＫは、簡単にＨＡＲＱ−ＡＣＫあるいはＡＣＫ／ＮＡＣＫ（Ａ／Ｎ）と称される。ＨＡＲＱ−ＡＣＫは、ポジティブＡＣＫ（簡単に、ＡＣＫ）、ネガティブＡＣＫ（ＮＡＣＫ）、ＤＴＸ及びＮＡＣＫ／ＤＴＸのうちの少なくとも一つを含む。ＣＳＩは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｉｏｎ）などを含む。ＵＣＩは、一般にＰＵＣＣＨを介して送信されるが、制御情報とトラフィックデータが同時に送信されなければならない場合、ＰＵＳＣＨを介して送信され得る。また、ネットワークの要求／指示によって、ＰＵＳＣＨを介してＵＣＩを非周期的に送信することができる。
【００３２】
図４は、ＬＴＥシステムで使用される無線フレームの構造を例示する図である。
図４を参照すると、セルラーＯＦＤＭ無線パケット通信システムにおいて、上りリンク／下りリンクデータパケット送信はサブフレーム単位で行われ、１サブフレームは、多数のＯＦＤＭシンボルを含む一定時間区間と定義される。３ＧＰＰ  ＬＴＥ標準では、ＦＤＤ（Ｆｒｅｑｕｅｎｃｙ  Ｄｉｖｉｓｉｏｎ  Ｄｕｐｌｅｘ）に適用可能なタイプ１の無線フレーム構造と、ＴＤＤ（Ｔｉｍｅ  Ｄｉｖｉｓｉｏｎ  Ｄｕｐｌｅｘ）に適用可能なタイプ２の無線フレーム構造を支援する。
【００３３】
図４の（ａ）は、タイプ１の無線フレームの構造を例示する。下りリンク無線フレームは１０個のサブフレームで構成され、１サブフレームは時間領域で２個のスロットで構成される。１サブフレームが送信されるのにかかる時間をＴＴＩ（ｔｒａｎｓｍｉｓｓｉｏｎ  ｔｉｍｅ  ｉｎｔｅｒｖａｌ）と言う。例えば、１サブフレームの長さは１ｍｓで、１スロットの長さは０．５ｍｓであり得る。一つのスロットは、時間領域で複数のＯＦＤＭシンボルを含み、周波数領域で多数のリソースブロック（Ｒｅｓｏｕｒｃｅ  Ｂｌｏｃｋ、ＲＢ）を含む。３ＧＰＰ  ＬＴＥシステムでは下りリンクでＯＦＤＭＡを使うので、ＯＦＤＭシンボルが一つのシンボル区間を示す。また、ＯＦＤＭシンボルは、ＳＣ―ＦＤＭＡシンボル又はシンボル区間と称することもできる。リソース割当て単位としてのリソースブロック（ＲＢ）は、一つのスロットで複数の連続的な副搬送波（ｓｕｂｃａｒｒｉｅｒ）を含むことができる。
【００３４】
１スロットに含まれるＯＦＤＭシンボルの数は、ＣＰ（Ｃｙｃｌｉｃ  Ｐｒｅｆｉｘ）の構成によって変わり得る。ＣＰには、拡張ＣＰ（ｅｘｔｅｎｄｅｄ  ＣＰ）と一般ＣＰ（ｎｏｒｍａｌ  ＣＰ）がある。例えば、ＯＦＤＭシンボルが一般ＣＰによって構成された場合、１スロットに含まれるＯＦＤＭシンボルの数は７個であり得る。ＯＦＤＭシンボルが拡張ＣＰによって構成された場合、１ＯＦＤＭシンボルの長さが増加するので、１スロットに含まれるＯＦＤＭシンボルの数は一般ＣＰの場合より少ない。例えば、拡張ＣＰの場合、一つのスロットに含まれるＯＦＤＭシンボルの数は６個であり得る。ユーザ機器が速い速度で移動する場合などのようにチャネル状態が不安定な場合、シンボル間の干渉をさらに減少させるために拡張ＣＰを使うことができる。
【００３５】
一般ＣＰが使用される場合、スロットは７個のＯＦＤＭシンボルを含むので、１サブフレームは１４個のＯＦＤＭシンボルを含む。このとき、各サブフレームの最初の最大３個のＯＦＤＭシンボルはＰＤＣＣＨ（ｐｈｙｓｉｃａｌ  ｄｏｗｎｌｉｎｋ  ｃｏｎｔｒｏｌ  ｃｈａｎｎｅｌ）に割り当て、残りのＯＦＤＭシンボルはＰＤＳＣＨ（ｐｈｙｓｉｃａｌ  ｄｏｗｎｌｉｎｋ  ｓｈａｒｅｄ  ｃｈａｎｎｅｌ）に割り当てることができる。
【００３６】
図４の（ｂ）は、タイプ２の無線フレームの構造を示す図である。タイプ２の無線フレームは、２個のハーフフレーム（ｈａｌｆ  ｆｒａｍｅ）で構成され、各ハーフフレームは、２個のスロットを含む４個の一般サブフレーム、ＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ、ＧＰ）及びＵｐＰＴＳ（Ｕｐｌｉｎｋ  Ｐｉｌｏｔ  Ｔｉｍｅ  Ｓｌｏｔ）を含む特別サブフレームで構成される。
【００３７】
特別サブフレームにおいて、ＤｗＰＴＳは、ユーザ機器での初期セル探索、同期化又はチャネル推定に使用される。ＵｐＰＴＳは、基地局でのチャネル推定とユーザ機器の上りリンク送信同期を取るのに使用される。すなわち、ＤｗＰＴＳは下りリンク送信に、ＵｐＰＴＳは上りリンク送信に使用され、特に、ＵｐＰＴＳは、ＰＲＡＣＨプリアンブルやＳＲＳ送信の用途で活用される。また、保護区間は、上りリンクと下りリンクとの間において下りリンク信号の多重経路遅延によって上りリンクで生じる干渉を除去するための区間である。
【００３８】
特別サブフレームに関して、現在の３ＧＰＰ標準文書では、下記の表１のように設定を定義している。表１において、ＴＳ＝１／（１５０００×２０４８）である場合のＤｗＰＴＳとＵｐＰＴＳを示し、残りの領域が保護区間として設定される。
【００３９】
【表１】
0006445142.tif 000002
【００４０】
一方、タイプ２の無線フレームの構造、すなわち、ＴＤＤシステムにおける上りリンク／下りリンクサブフレーム設定（ＵＬ／ＤＬ  ｃｏｎｆｉｇｕｒａｔｉｏｎ）は、下記の表２の通りである。
【００４１】
【表２】
0006445142.tif 000003
【００４２】
上記の表２において、Ｄは下りリンクサブフレーム、Ｕは上りリンクサブフレームを表し、Ｓは特別サブフレームを表す。また、上記の表２は、それぞれのシステムでの上りリンク／下りリンクサブフレーム設定において下りリンク−上りリンクスイッチング周期も示している。
【００４３】
上述した無線フレームの構造は例示に過ぎなく、無線フレームに含まれるサブフレームの数、サブフレームに含まれるスロットの数、及びスロットに含まれるシンボルの数は多様に変更可能である。
【００４４】
図５は、下りリンクスロットに対するリソースグリッド（ｒｅｓｏｕｒｃｅ  ｇｒｉｄ）を例示する。
【００４５】
【数１】
0006445142.tif 000004
【００４６】
【数２】
0006445142.tif 000005
【００４７】
図６は下りリンクサブフレームの構造を例示する。
【００４８】
図６を参照すると、サブフレームの一番目スロットにおいて前部に位置する最大３（４）個のＯＦＤＭシンボルは制御チャネルが割り当てられる制御領域に対応する。残ったＯＦＤＭシンボルはＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域に対応する。ＬＴＥで使われる下りリンク制御チャネルの例は、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  ｈｙｂｒｉｄ  ＡＲＱ  ｉｎｄｉｃａｔｏｒ  Ｃｈａｎｎｅｌ）などを含む。ＰＣＦＩＣＨはサブフレームの一番目ＯＦＤＭシンボルで送信され、サブフレーム内で制御チャネルの伝送に使われるＯＦＤＭシンボルの個数に関する情報を運ぶ。ＰＨＩＣＨは上りリンク伝送に対する応答としてＨＡＲＱ  ＡＣＫ／ＮＡＣＫ（Ｈｙｂｒｉｄ  Ａｕｔｏｍａｔｉｃ  Ｒｅｐｅａｔ  ｒｅｑｕｅｓｔ  ａｃｋｎｏｗｌｅｄｇｍｅｎｔ／ｎｅｇａｔｉｖｅ−ａｃｋｎｏｗｌｅｄｇｍｅｎｔ）信号を運ぶ。
【００４９】
ＰＤＣＣＨを介して送信される制御情報をＤＣＩ（Ｄｏｗｎｌｉｎｋ  Ｃｏｎｔｒｏｌ  Ｉｎｆｏｒｍａｔｉｏｎ）と呼ぶ。ＤＣＩは使用者器機又は使用者器機グループのためのリソース割当て情報及び他の制御情報を含む。例えば、ＤＣＩは、上り／下りリンクスケジューリング情報、上りリンク伝送（Ｔｘ）パワー制御命令などを含む。
【００５０】
ＰＤＣＣＨは下りリンク共有チャネル（ｄｏｗｎｌｉｎｋ  ｓｈａｒｅｄ  ｃｈａｎｎｅｌ、ＤＬ−ＳＣＨ）の伝送フォーマット及びリソース割当て情報、上りリンク共有チャネル（ｕｐｌｉｎｋ  ｓｈａｒｅｄ  ｃｈａｎｎｅｌ、ＵＬ−ＳＣＨ）の伝送フォーマット及びリソース割当て情報、ページングチャネル（ｐａｇｉｎｇ  ｃｈａｎｎｅｌ、ＰＣＨ）上のページング情報、ＤＬ−ＳＣＨ上のシステム情報、ＰＤＳＣＨ上で送信されるランダム接続応答のような上位−階層制御メッセージのリソース割当て情報、使用者器機グループ内の個別使用者器機に対するＴｘパワー制御命令セット、Ｔｘパワー制御命令、ＶｏＩＰ（Ｖｏｉｃｅ  ｏｖｅｒ  ＩＰ）の活性化指示情報などを運ぶ。複数のＰＤＣＣＨが制御領域内で送信されることができる。使用者機器は複数のＰＤＣＣＨをモニターすることができる。ＰＤＣＣＨは一つ又は複数の連続した制御チャネル要素（ｃｏｎｔｒｏｌ  ｃｈａｎｎｅｌ  ｅｌｅｍｅｎｔ、ＣＣＥ）の集合（ａｇｇｒｅｇａｔｉｏｎ）上で送信される。ＣＣＥはＰＤＣＣＨに無線チャネル状態に基づいたコーディングレートを提供するのに使われる論理的割当てユニットである。ＣＣＥは複数のリソース要素グループ（ｒｅｓｏｕｒｃｅ  ｅｌｅｍｅｎｔ  ｇｒｏｕｐ、ＲＥＧ）に対応する。ＰＤＣＣＨのフォーマット及びＰＤＣＣＨビットの個数はＣＣＥの個数によって決定される。基地局は使用者器機に送信されるＤＣＩによってＰＤＣＣＨフォーマットを決定し、制御情報にＣＲＣ（ｃｙｃｌｉｃ  ｒｅｄｕｎｄａｎｃｙ  ｃｈｅｃｋ）を付け加える。ＣＲＣはＰＤＣＣＨの所有者又は使用目的によって識別子（例えば、ＲＮＴＩ（ｒａｄｉｏ  ｎｅｔｗｏｒｋ  ｔｅｍｐｏｒａｒｙ  ｉｄｅｎｔｉｆｉｅｒ））でマスキングされる。例えば、ＰＤＣＣＨが特定の使用者器機のためのものである場合、該当使用者器機の識別子（例えば、ｃｅｌｌ−ＲＮＴＩ（Ｃ−ＲＮＴＩ））がＣＲＣにマスキングされることができる。ＰＤＣＣＨがページングメッセージのためのものである場合、ページング識別子（例えば、ｐａｇｉｎｇ−ＲＮＴＩ（Ｐ−ＲＮＴＩ））がＣＲＣにマスキングされることができる。ＰＤＣＣＨがシステム情報（より具体的に、システム情報ブロック（ｓｙｓｔｅｍ  Ｉｎｆｏｒｍａｔｉｏｎ  ｂｌｏｃｋ、ＳＩＣ））のためのものである場合、ＳＩ−ＲＮＴＩ（ｓｙｓｔｅｍ  Ｉｎｆｏｒｍａｔｉｏｎ  ＲＮＴＩ）がＣＲＣにマスキングされることができる。ＰＤＣＣＨがランダム接続応答のためのものである場合、ＲＡ−ＲＮＴＩ（ｒａｎｄｏｍ  ａｃｃｅｓｓ−ＲＮＴＩ）がＣＲＣにマスキングされることができる。
【００５１】
図７はＬＴＥで使われる上りリンクサブフレームの構造を例示する。
【００５２】
図７を参照すると、上りリサブフレームは複数（例えば、２個）のスロットを含む。スロットはＣＰ長によって相異なる数のＳＣ−ＦＤＭＡシンボルを含むことができる。上りリサブフレームは周波数領域でデータ領域と制御領域に区分される。データ領域はＰＵＳＣＨを含み、音声などのデータ信号を送信するのに使われる。制御領域はＰＵＣＣＨを含み、上りリンク制御情報（Ｕｐｌｉｎｋ  Ｃｏｎｔｒｏｌ  Ｉｎｆｏｒｍａｔｉｏｎ、ＵＣＩ）を送信するのに使われる。ＰＵＣＣＨは周波数軸でデータ領域の両端部に位置するＲＢ対（ＲＢ  ｐａｉｒ）を含み、スロットを境界としてホッピングする。
【００５３】
ＰＵＣＣＨは次の制御情報を送信するのに使われることができる。
【００５４】
−ＳＲ（Ｓｃｈｅｄｕｌｉｎｇ  Ｒｅｑｕｅｓｔ）：上りリンクＵＬ−ＳＣＨリソースを要請するのに使われる情報である。ＯＯＫ（Ｏｎ−Ｏｆｆ  Ｋｅｙｉｎｇ）方式を用いて送信される。
【００５５】
−ＨＡＲＱ  ＡＣＫ／ＮＡＣＫ：ＰＤＳＣＨ上の下りリンクデータパケットに対する応答信号である。下りリンクデータパケットが成功的に受信されたかを示す。単一下りリンクコードワードに対する応答としてＡＣＫ／ＮＡＣＫ１ビットが送信され、二つの下りリンクコードワードに対する応答としてＡＣＫ／ＮＡＣＫ２ビットが送信される。
【００５６】
−ＣＳＩ（Ｃｈａｎｎｅｌ  Ｓｔａｔｅ  Ｉｎｆｏｒｍａｔｉｏｎ）：下りリンクチャネルに対するフィードバック情報である。ＣＳＩはＣＱＩ（Ｃｈａｎｎｅｌ  Ｑｕａｌｉｔｙ  Ｉｎｄｉｃａｔｏｒ）を含み、ＭＩＭＯ（Ｍｕｌｔｉｐｌｅ  Ｉｎｐｕｔ  Ｍｕｌｔｉｐｌｅ  Ｏｕｔｐｕｔ）関連フィードバック情報はＲＩ（Ｒａｎｋ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＰＴＩ（ＰｒｅｃｏｄｉｎｇタイプＩｎｄｉｃａｔｏｒ）などを含む。サブフレーム当たり２０ビットが使われる。
【００５７】
使用者機器がサブフレームで送信することができる制御情報（ＵＣＩ）の量は制御情報伝送に可用なＳＣ−ＦＤＭＡの個数に依存する。制御情報伝送に可用なＳＣ−ＦＤＭＡはサブフレームで参照信号伝送のためのＳＣ−ＦＤＭＡシンボルを除いた残りはＳＣ−ＦＤＭＡシンボルを意味し、ＳＲＳ（Ｓｏｕｎｄｉｎｇ  Ｒｅｆｅｒｅｎｃｅ  Ｓｉｇｎａｌ）が設定されたサブフレームの場合、サブフレームの最後のＳＣ−ＦＤＭＡシンボルも除かれる。参照信号はＰＵＣＣＨのコヒーレント検出に使われる。
【００５８】
図８はキャリア併合（Ｃａｒｒｉｅｒ  Ａｇｇｒｅｇａｔｉｏｎ、ＣＡ）通信システムを例示する。
【００５９】
図８を参照すると、複数の上り／下りリンクコンポーネント搬送波（Ｃｏｍｐｏｎｅｎｔ  Ｃａｒｒｉｅｒ、ＣＣ）を集めてもっと広い上り／下りリンク帯域幅を支援することができる。用語「コンポーネント搬送波（ＣＣ）」は等価の他の用語（例えば、キャリア、セルなど）に取り替えることができる。それぞれのＣＣは周波数領域で互いに隣接するか隣接しないことができる。各コンポーネント搬送波の帯域幅は独立的に決定されることができる。ＵＬＣＣの個数とＤＬ  ＣＣの個数が違う非対称搬送波集成も可能である。一方、制御情報は特定のＣＣを介して送受信されるように設定されることができる。このような特定のＣＣをプライマリーＣＣ（又はアンカーＣＣ）と呼び、残りのＣＣをセカンダリーＣＣと呼ぶことができる。
【００６０】
クロス−キャリアスケジューリング（又はクロス−ＣＣスケジューリング）が適用される場合、下りリンク割当てのためのＰＤＣＣＨはＤＬ  ＣＣ＃０に送信され、該当ＰＤＳＣＨはＤＬ  ＣＣ＃２に送信されることができる。クロス−ＣＣスケジューリングのために、キャリア指示フィールド（ｃａｒｒｉｅｒ  ｉｎｄｉｃａｔｏｒ  ｆｉｅｌｄ、ＣＩＦ）の導入を考慮することができる。ＰＤＣＣＨ内でＣＩＦの存在有無は上位階層シグナリング（例えば、ＲＲＣシグナリング）によって半−静的及び端末−特定（又は端末グループ−特定）方式で設定することができる。ＰＤＣＣＨ伝送ベースラインを要約すると次のようである。
【００６１】
■ＣＩＦディセーブルド（ｄｉｓａｂｌｅｄ）：ＤＬ  ＣＣ上のＰＤＣＣＨは同じＤＬ  ＣＣ上のＰＤＳＣＨリソースを割り当てるか一つのリンクされたＵＬ  ＣＣ上のＰＵＳＣＨリソースを割り当てる
●Ｎｏ  ＣＩＦ
●ＬＴＥ  ＰＤＣＣＨ構造（同じ符号化、同じＣＣＥ−基盤リソースマッピング）及びＤＣＩフォーマットと同一
■ＣＩＦイネーブルド（ｅｎａｂｌｅｄ）：ＤＬ  ＣＣ上のＰＤＣＣＨはＣＩＦを用いて複数の併合されたＤＬ／ＵＬＣＣの中で特定のＤＬ／ＵＬＣＣ上のＰＤＳＣＨ又はＰＵＳＣＨリソースを割り当てることができる
●ＣＩＦを有する拡張したＬＴＥ  ＤＣＩフォーマット
−ＣＩＦ（設定される場合）は固定されたｘ−ビットフィールド（例えば、ｘ＝３）
−ＣＩＦ（設定される場合）位置はＤＣＩフォーマットサイズに関係なく固定される
●ＬＴＥ  ＰＤＣＣＨ構造を再使用（同じ符号化、同じＣＣＥ−基盤リソースマッピング）
ＣＩＦが存在する場合、基地局は端末側のＢＤ複雑度を低めるためにＰＤＣＣＨモニタリングＤＬ  ＣＣセットを割り当てることができる。ＰＤＣＣＨモニタリングＤＬ  ＣＣセットは併合された全体ＤＬ  ＣＣの一部として一つ以上のＤＬ  ＣＣを含み、端末は該当ＤＬ  ＣＣ上でのみＰＤＣＣＨの検出／復号化を遂行する。すなわち、基地局が端末にＰＤＳＣＨ／ＰＵＳＣＨをスケジューリングする場合、ＰＤＣＣＨはＰＤＣＣＨモニタリングＤＬ  ＣＣセットを介して送信される。ＰＤＣＣＨモニタリングＤＬ  ＣＣセットは端末−特定（ＵＥ−ｓｐｅｃｉｆｉｃ）、端末−グループ−特定又はセル−特定（ｃｅｌｌ−ｓｐｅｃｉｆｉｃ）方式で設定することができる。用語「ＰＤＣＣＨモニタリングＤＬ  ＣＣ」はモニタリングキャリア、モニタリングセルなどの等価の用語に取り替えることができる。また、端末のために併合されたＣＣはサービングＣＣ、サービングキャリア、サービングセルなどの等価の用語に取り替えることができる。
【００６２】
図９は複数のキャリアが併合された場合のスケジューリングを例示する。３個のＤＬ  ＣＣが併合されたと仮定する。ＤＬ  ＣＣＡがＰＤＣＣＨモニタリングＤＬ  ＣＣに設定されたと仮定する。ＤＬ  ＣＣ  Ａ〜ＣはサービングＣＣ、サービングキャリア、サービングセルなどと呼ぶことができる。ＣＩＦがディセーブルされた場合、それぞれのＤＬ  ＣＣはＬＴＥ  ＰＤＣＣＨ設定によってＣＩＦなしで自分のＰＤＳＣＨをスケジューリングするＰＤＣＣＨのみ送信することができる。一方、端末−特定（又は端末−グループ−特定又はセル−特定）上位階層シグナリングによってＣＩＦがイネーブルされた場合、ＤＬ  ＣＣＡ（モニタリングＤＬ  ＣＣ）はＣＩＦを用いてＤＬ  ＣＣＡのＰＤＳＣＨをスケジューリングするＰＤＣＣＨだけでなく他のＣＣのＰＤＳＣＨをスケジューリングするＰＤＣＣＨも送信することができる。この場合、ＰＤＣＣＨモニタリングＤＬ  ＣＣに設定されなかったＤＬ  ＣＣ  Ｂ／ＣではＰＤＣＣＨが送信されない。したがって、ＤＬ  ＣＣ  Ａ（モニタリングＤＬ  ＣＣ）はＤＬ  ＣＣ  Ａに関連したＰＤＣＣＨ検索領域、ＤＬ  ＣＣ  Ｂに関連したＰＤＣＣＨ検索領域及びＤＬ  ＣＣ  Ｃに関連したＰＤＣＣＨ検索領域を全て含まなければならない。本明細書で、ＰＤＣＣＨ検索領域はキャリア別に定義されると仮定する。
【００６３】
上述したように、ＬＴＥ−Ａはクロス−ＣＣスケジューリングのためにＰＤＣＣＨ内でＣＩＦの使用を考慮している。ＣＩＦの使用可否（すなわち、クロス−ＣＣスケジューリングモード又はノン−クロス−ＣＣスケジューリングモードの支援）及びモード間転換はＲＲＣシグナリングによって半−静的／端末−特定に設定されることができ、該当ＲＲＣシグナリング過程を経た端末は自分にスケジューリングされるＰＤＣＣＨ内にＣＩＦが使われるかを認識することができる。
【００６４】
以下では、本発明によって搬送波集成技法（Ｃａｒｒｉｅｒ  Ａｇｇｒｅｇａｔｉｏｎ、ＣＡ）が適用されたセル（あるいはコンポーネントキャリア）の間に、互いに異なる通信方向による干渉が存在するとき、特定のセル上の無線リソースを効率的に使う方法について説明する。
【００６５】
以下では、説明の便宜のために、３ＧＰＰ  ＬＴＥシステムを基にして本発明を説明する。しかし、本発明が適用されるシステムの範囲は３ＧＰＰ  ＬＴＥシステム外に他のシステムにも拡張可能である。
【００６６】
また、以下では本発明の説明の便宜のために、ＩＮＴＲＡ−ＢＡＮＤ  ＣＡ技法（以下、「ＩＮＴＲＡ＿ＢＤ＿ＣＡ」）が適用され、該当セルの間に相異なる上りリンク−下りリンク設定（ＵＬ−ＤＬ  ＣＯＮＦＩＧＵＲＡＴＩＯＮ）が設定された状況（以下、「ＩＮＴＲＡ＿ＢＤ＿ＣＡＷ／ＤＩＦＦ＿ＣＯＮＦＩＧ」）を仮定する。参照として、本発明の実施例は上述した状況（すなわち、「ＩＮＴＲＡ＿ＢＤ＿ＣＡＷ／ＤＩＦＦ＿ＣＯＮＦＩＧ」）だけでなく、ＣＡ技法が適用されたセルの間に相異なる通信方向による干渉が存在するか発生する全ての状況で拡張適用が可能である。
【００６７】
また、本発明の実施例はＣＡ技法が適用されたセル（例えば、ＩＮＴＥＲ−ＢＡＮＤ  ＣＡ技法（以下、「ＩＮＴＥＲ＿ＢＤ＿ＣＡ」）上の特定時点で同時送／受信が可能ではない端末、あるいはＣＡ技法が適用されたセル（すなわち、ＩＮＴＥＲ＿ＢＤ＿ＣＡ）上の特定の時点で同時送／受信は可能であるがＩＮＴＲＡ＿ＢＤ＿ＣＡによる者が干渉（ＳＥＬＦ−ＩＮＴＥＲＦＥＲＥＮＣＥ）問題のため実際同時送／受信動作が不可能な端末にも拡張適用が可能である。
【００６８】
また、「ＩＮＴＲＡ＿ＢＤ＿ＣＡＷ／ＤＩＦＦ＿ＣＯＮＦＩＧ」の環境の下で、上りリンク／下りリンク通信は下の表３及び表４によって（再び）用いて遂行するように設定されることができる。これは、端末がＣＡ技法の適用されたセル（例えば、ＩＮＴＥＲ＿ＢＤ＿ＣＡ）上の特定の時点で同時送／受信が可能であるかに構わず、ＩＮＴＲＡ＿ＢＤ＿ＣＡＷ／ＤＩＦＦ＿ＣＯＮＦＩＧ環境の下では、端末がいつもＣＡ技法の適用されたセル上の特定の時点で同時送／受信は不可能であると仮定すると解釈されることもできる。
【００６９】
ここで、下の表３及び表４によると、ＰＣｅｌｌのリソース用途と一致しないＳＣｅｌｌのリソース上では実際通信が遂行されないかあるいは実際通信の遂行が期待されないと判断（すなわち、ＰＣｅｌｌのリソース用途及び使用に優先権が存在する）することができる。また、ＩＮＴＲＡ＿ＢＤ＿ＣＡＷ／ＤＩＦＦ＿ＣＯＮＦＩＧ環境の下でこれを適用する場合、ＰＣｅｌｌとＳＣｅｌｌの間の相異なる通信方向による干渉を回避することができる。しかし、ＩＮＴＲＡ＿ＢＤ＿ＣＡＷ／ＤＩＦＦ＿ＣＯＮＦＩＧ環境の下で表３及び表４の規則を（再）用いる場合、ＰＣｅｌｌのリソース用途及び使用に優先権が存在することにより、ＳＣｅｌｌの（下りリンク／上りリンク）リソースをトラフィック負荷状態の変化によって効率的に用いることができない問題が発生する。
【００７０】
以下、搬送波集成（ＣＡ）技法が適用されたセル上の特定の時点で、同時送受信が不可能な端末の通信動作に対する規則／設定を表３及び表４に示す。表３についてのより詳細な説明はＬＴＥ／ＬＴＥ−Ａ関連３ＧＰＰ  ＴＳ  ３６．２１１  Ｓｅｃｔｉｏｎ  ４．２  「Ｆｒａｍｅ  ｓｔｒｕｃｔｕｒｅ  ｔｙｐｅ  ２」を参照することができ、表４についてのより詳細な説明は及び３ＧＰＰ  ＴＳ  ３６．２１３  Ｓｅｃｔｉｏｎ  ７．２．３  「Ｃｈａｎｎｅｌ  Ｑｕａｌｉｔｙ  Ｉｎｄｉｃａｔｏｒ（ＣＱＩ）  ｄｅｆｉｎｉｔｉｏｎ」を参照することができる。
【００７１】
【表３】
0006445142.tif 000006
【００７２】
【表４】
0006445142.tif 000007
【００７３】
前述した内容に基づき、本発明によって、ＣＡ技法が適用されたセル（あるいはコンポーネントキャリア）の間に、相異なる通信方向による干渉が存在（例えば、ＩＮＴＲＡ＿ＢＤ＿ＣＡＷ／ＤＩＦＦ＿ＣＯＮＦＩＧ）するとき、特定のセル上の無線リソースを効率的に使う方法を説明する。例えば、表３及び表４の規則に基づいて以下で本発明の少なくとも一部（すなわち、一部あるいは全部）の実施例を適用することにより、上述した表３又は表４の適用によって発生する問題（例えば、ＳＣｅｌｌの（下りリンク／上りリンク）リソースをトラフィック負荷状態の変化によって効率的に用いることができない問題）を解決することができる。
【００７４】
図１０は本発明の実施例（例えば、第１方案〜第３方案）が適用可能な場合を示す。ここで、ＰＣｅｌｌ（例えば、Ｍａｃｒｏ  ｅＮＢ）は上りリンク−下りリンク設定＃１に設定され、ＳＣｅｌｌ（例えば、Ｐｉｃｏ  ｅＮＢ）は上りリンク−下りリンク設定＃３に設定されたと仮定する。また、図１０はＩＤＥＡＬ  ＢＡＣＫＨＡＵＬ（あるいはＮＯＮ−ＩＤＥＡＬ  ＢＡＣＫＨＡＵＬ）を介して連結されている、Ｍａｃｒｏ  ｅＮＢ（すなわち、ＰＣｅｌｌ）とＰｉｃｏ  ｅＮＢ（すなわち、ＳＣｅｌｌ）がＣＡ技法あるいはＤＵＡＬ  ＣＯＮＮＥＣＴＩＶＩＴＹ技法（例えば、ＩＮＴＲＡ＿ＢＤ＿ＣＡＷ／ＤＩＦＦ＿ＣＯＮＦＩＧ）に設定された状況を仮定した。
【００７５】
第１方案
図１０を参照して本発明を説明すると、特定のＳＦ＃Ｎ時点でＰＣｅｌｌ（例えば、Ｃｅｌｌ＃Ａ）はＵＬ  ＳＦであり、ＳＣｅｌｌ（例えば、Ｃｅｌｌ＃Ｂ）はＤＬ  ＳＦである場合（例えば、ＳＦ＃（ｎ＋７）、ＳＦ＃（ｎ＋８））、ＰＣｅｌｌ  ＵＬ  ＳＦ上で実際に（前もって定義された）上りリンクシグナル伝送（例えば、ＰＵＳＣＨ、ＰＵＣＣＨ（Ａ／Ｎ、ＣＳＩ）、ＳＲ、ＳＲＳなど）が設定／指示されない場合、端末は同一時点（すなわち、ＳＦ＃（ｎ＋７）、ＳＦ＃（ｎ＋８））のＳＣｅｌｌ  ＤＬ  ＳＦ上で（Ｅ）ＰＤＣＣＨブラインドデコーディング（及び／又はＰＤＳＣＨ受信動作）を遂行するように設定されることができる。このような方式は、ＳＦ＃ＮでＰＣｅｌｌがＣｅｌｌ＃ＡからＣｅｌｌ＃Ｂに変更されるか、あるいはＳＣｅｌｌがＣｅｌｌ＃ＢからＣｅｌｌ＃Ａに変更されたと解釈することができる。
【００７６】
さらに他の一例として、第１方案が適用されるＰＣｅｌｌ  ＵＬ  ＳＦ（あるいはＳＣｅｌｌ  ＤＬ  ＳＦ）に対する位置についての情報（例えば、ビットマップ）が前もって定義されたシグナル（例えば、物理階層シグナルあるいは上位階層シグナル）を介して端末に伝達されることもできる。
【００７７】
ここで、第１方案が適用される位置についての情報を伝達して第１方案が適用されるＰＣｅｌｌ  ＵＬ  ＳＦ（あるいはＳＣｅｌｌ  ＤＬ  ＳＦ）位置を限定することにより、端末がＰＣｅｌｌ  ＵＬ  ＳＦ上での（前もって定義された）上りリンクシグナル伝送（例えば、ＰＵＳＣＨ、Ａ−ＣＳＩ、Ａ−ＳＲＳなど）関連制御情報を成功的に受信することができないことによって発生する、基地局と端末の間に実際に通信が行われるリソース（例えば、ＰＣｅｌｌ  ＵＬ  ＳＦあるいはＳＣｅｌｌ  ＤＬ  ＳＦ）仮定に対する不一致の問題を緩和させることができる。
【００７８】
第２方案
図１０を参照して本発明を説明すると、特定のＳＦ＃Ｎ時点でＰＣｅｌｌ（すなわち、Ｃｅｌｌ＃Ａ）はスペシャルサブフレーム（ＳＰＥＣＩＡＬ  ＳＦ）であり、ＳＣｅｌｌ（すなわち、Ｃｅｌｌ＃Ｂ）はＤＬ  ＳＦである場合（例えば、ＳＦ＃（ｎ＋６））、ＰＣｅｌｌ  ＵｐＰＴＳ上で実際に（前もって定義された）上りリンクシグナル伝送（例えば、ＳＲＳなど）が設定／指示されない場合、端末に対して同一時点（すなわち、ＳＦ＃（ｎ＋６））のＳＣｅｌｌ  ＤＬ  ＳＦ領域の少なくとも一部（すなわち、一部あるいは全部）上で（Ｅ）ＰＤＣＣＨブラインドデコーディング（及び／又はＰＤＳＣＨ受信動作）を遂行するように設定されることができる。
【００７９】
ここで、一部のＳＣｅｌｌ  ＤＬ  ＳＦ領域はＰＣｅｌｌ  ＤｗＰＴＳに相当するＳＣｅｌｌ  ＤＬ  ＳＦ領域、つまりＳＣｅｌｌ  ＤＬ  ＳＦをＰＣｅｌｌと同一の設定のＳＰＥＣＩＡＬ  ＳＦと仮定し、ＳＣｅｌｌ  ＤｗＰＴＳ領域でのみ（Ｅ）ＰＤＣＣＨ／ＰＤＳＣＨ受信が可能であると定義することができる。若しくは、ＰＣｅｌｌ  ＤｗＰＴＳ／ＧＰに相当するＳＣｅｌｌ  ＤＬ  ＳＦ領域（すなわち、ＳＣｅｌｌ  ＤＬ  ＳＦをＰＣｅｌｌと同一の設定のＳＰＥＣＩＡＬ  ＳＦと仮定し、ＳＣｅｌｌ  ＤｗＰＴＳ／ＧＰ領域でのみ（Ｅ）ＰＤＣＣＨ／ＰＤＳＣＨ受信が可能であると定義することができる。また、本発明で、ＳＦ＃ＮでＰＣｅｌｌがＣｅｌｌ＃ＡからＣｅｌｌ＃Ｂに変更された（あるいはＳＣｅｌｌがＣｅｌｌ＃ＢからＣｅｌｌ＃Ａに変更された）と解釈することができる。
【００８０】
さらに他の例として、第２方案が適用されるＰＣｅｌｌ  ＳＰＥＣＩＡＬ  ＳＦ（あるいはＳＣｅｌｌ  ＤＬ  ＳＦ）に対する位置についての情報（例えば、ビットマップ）が前もって定義されたシグナル（例えば、物理階層シグナルあるいは上位階層シグナル）を介して端末に伝達されることもできる。ここで、第２方案が適用される位置についての情報を伝達して第２方案が適用されるＰＣｅｌｌ  ＳＰＥＣＩＡＬ  ＳＦ（あるいはＳＣｅｌｌ  ＤＬ  ＳＦ）位置を限定することにより、端末がＰＣｅｌｌ  ＵｐＰＴＳ上での（前もって定義された）上りリンクシグナル伝送（例えば、Ａ−ＳＲＳなど）関連制御情報を成功的に受信することができないことによって発生する、基地局と端末の間に実際通信が行われるリソース（例えば、ＰＣｅｌｌ  ＳＰＥＣＩＡＬ  ＳＦあるいはＳＣｅｌｌ  ＤＬ  ＳＦ）仮定に対する不一致問題を緩和させることができる。
【００８１】
第３方案
図１０を参照して本発明を説明すると、特定のＳＦ＃Ｎ時点でＰＣｅｌｌ（すなわち、Ｃｅｌｌ＃Ａ）はＤＬ  ＳＦであり、ＳＣｅｌｌ（すなわち、Ｃｅｌｌ＃Ｂ）はＵＬ  ＳＦである場合（例えば、ＳＦ＃（ｎ＋４））、前もって定義された指示子受信あるいは前もって定義された規則適用によって、端末にとって、ＳＣｅｌｌ  ＵＬ  ＳＦが（前もって定義された）上りリンクシグナル伝送（例えば、ＰＵＳＣＨ、ＳＲＳなど）の用途に用いられるように設定されることができる。
【００８２】
ここで、該当指示子はＳＣｅｌｌ  ＵＬ  ＳＦ上で（前もって定義された）上りリンクシグナル伝送をトリガリングあるいはスケジューリングするＵＬ  ＧＲＡＮＴ情報、あるいは該当用途に新しく定義された指示子（例えば、物理階層指示子（ＰＤＣＣＨ）あるいは上位階層指示子（ＲＲＣ））などに定義されることができる。
【００８３】
上りリンクシグナル伝送をトリガリングあるいはスケジューリングするＵＬ  ＧＲＡＮＴ情報に対する例として、ＳＣｅｌｌ  ＵＬ  ＨＡＲＧタイムラインによってＳＣｅｌｌのＳＦ＃（Ｎ−４）時点（例えば、図１０でＳＦ＃（ｎ））（すなわち、ＳＥＬＦ  ＳＣＨＥＤＵＬＩＮＧ  ＣＡＳＥ）（あるいはＰＣｅｌｌのＤＬ  ＳＦ＃（Ｎ−４）（例えば、図１０でＳＦ＃（ｎ））すなわち、ＣＲＯＳＳ  ＳＣＨＥＤＵＬＩＮＧ  ＣＡＳＥ）で、ＳＣｅｌｌ  ＵＬ  ＳＦ＃Ｎ上でのＰＵＳＣＨ伝送関連ＵＬ  ＧＲＡＮＴ情報を受信すれば、端末はＳＣｅｌｌ  ＵＬ  ＳＦ＃ＮでＰＵＳＣＨ伝送を遂行し、ＰＣｅｌｌ  ＤＬ  ＳＦ＃Ｎで（Ｅ）ＰＤＣＣＨ／ＰＤＳＣＨ受信動作を遂行しない。このような方案は、ＳＦ＃ＮでＰＣｅｌｌがＣｅｌｌ＃ＡからＣｅｌｌ＃Ｂに変更された（あるいはＳＣｅｌｌがＣｅｌｌ＃ＢからＣｅｌｌ＃Ａに変更された）と解釈することができる。
【００８４】
また、第３方案が適用されるＰＣｅｌｌ  ＤＬ  ＳＦ（あるいはＳＣｅｌｌ  ＵＬ  ＳＦ）に対する位置についての情報（例えば、ビットマップ）が前もって定義されたシグナル（例えば、物理階層シグナルあるいは上位階層シグナル）を介して端末に伝達されることもできる。ここで、第３方案が適用される位置についての情報を伝達して第３方案が適用されるＰＣｅｌｌ  ＤＬ  ＳＦ（あるいはＳＣｅｌｌ  ＵＬ  ＳＦ）の位置を限定することにより、端末がＳＣｅｌｌ  ＵＬ  ＳＦ上での（前もって定義された）上りリンクシグナル伝送（例えば、ＰＵＳＣＨ、Ａ−ＣＳＩ、Ａ−ＳＲＳなど）関連制御情報を成功的に受信することができないことによって発生する、基地局と端末の間に実際に通信が行われるリソース（例えば、ＰＣｅｌｌ  ＤＬ  ＳＦあるいはＳＣｅｌｌ  ＵＬ  ＳＦ）仮定に対する不一致問題を緩和させることができる。
【００８５】
第４方案
図１１は本発明の第４方案が適用可能な場合を説明するための参照図である。図１１で、ＰＣｅｌｌは上りリンク−下りリンク設定＃３（すなわち、「ＤＳＵＵＵＤＤＤＤＤ」）に設定され、ＳＣｅｌｌは上りリンク−下りリンク設定＃１（すなわち、「ＤＳＵＵＤＤＳＵＵＤ」）に設定されたと仮定した。また、図１１はＩＤＥＡＬ  ＢＡＣＫＨＡＵＬ（あるいはＮＯＮ−ＩＤＥＡＬ  ＢＡＣＫＨＡＵＬ）を介して連結されている、Ｍａｃｒｏ  ｅＮＢ（すなわち、ＰＣｅｌｌ）とＰｉｃｏ  ｅＮＢ（すなわち、ＳＣｅｌｌ）がＣＡ技法あるいはＤＵＡＬ  ＣＯＮＮＥＣＴＩＶＩＴＹ技法（例えば、ＩＮＴＲＡ＿ＢＤ＿ＣＡＷ／ＤＩＦＦ＿ＣＯＮＦＩＧ）で設定された状況を仮定した。
【００８６】
図１１を参照して本発明を説明すると、特定のＳＦ＃Ｎ時点（例えば、ＳＦ＃（ｎ＋６））でＰＣｅｌｌ（すなわち、Ｃｅｌｌ＃Ａ）はＤＬ  ＳＦであり、ＳＣｅｌｌ（すなわち、Ｃｅｌｌ＃Ｂ）はスペシャルサブフレーム（ＳＰＥＣＩＡＬ  ＳＦ）である場合、前もって定義された規則によって、ＳＣｅｌｌ  ＳＰＥＣＩＡＬ  ＳＦ領域の少なくとも一部（すなわち、一部あるいは全部）上で（Ｅ）ＰＤＣＣＨブラインドデコーディング（及び／又はＰＤＳＣＨ受信動作）を遂行するように設定されることができる。
【００８７】
ここで、ＳＣｅｌｌ  ＳＰＥＣＩＡＬ  ＳＦ領域の一部領域はＳＣｅｌｌ  ＤｗＰＴＳ／ＧＰ領域（あるいはＳＣｅｌｌ  ＤｗＰＴＳ）に定義されることができる。若しくは、ＳＣｅｌｌ  ＳＰＥＣＩＡＬ  ＳＦ領域の全領域は該当ＳＣｅｌｌ  ＳＰＥＣＩＡＬ  ＳＦをＤＬ  ＳＦと見なすと解釈することができる（すなわち、ＤＬ  ＳＦでの（Ｅ）ＰＤＣＣＨブラインドデコーディング（及び／又はＰＤＳＣＨ受信動作）を同様に遂行）。
【００８８】
また、第４方案が適用されるＰＣｅｌｌ  ＤＬ  ＳＦ（あるいはＳＣｅｌｌ  ＳＰＥＣＩＡＬ  ＳＦ）に対する位置についての情報（例えば、ビットマップ）が前もって定義されたシグナル（例えば、物理階層シグナルあるいは上位階層シグナル）を介して端末に伝達されることもできる。
【００８９】
第５方案
図１０を参照して本発明を説明すると、ＰＣｅｌｌ（すなわち、Ｃｅｌｌ＃Ａ）はＵＬ  ＳＦであり、ＳＣｅｌｌ（すなわち、Ｃｅｌｌ＃Ｂ）はＤＬ  ＳＦであるＳＦ＃Ｎ時点（例えば、ＳＦ＃（ｎ＋７）、ＳＦ＃（ｎ＋８））で、上述した第１方案が適用される場合、（Ｅ）ＰＤＣＣＨブラインドデコーディング（及び／又はＰＤＳＣＨ受信動作）が行われるＳＣｅｌｌ（すなわち、Ｃｅｌｌ＃Ｂ）ＤＬ  ＳＦ＃Ｎ関連ＨＡＲＱ−ＡＣＫ情報伝送は、クロス−スケジューリング（ＣＲＯＳＳ  ＳＣＨＥＤＵＬＩＮＧ）設定に関係なくセルフ−スケジューリング（ＳＥＬＦ  ＳＣＨＥＤＵＬＩＮＧ）関連ＤＬ  ＨＡＲＱタイムライン、すなわちＰＣｅｌｌとＳＣｅｌｌのＤＬ  ＳＦ和集合を含む上りリンク−下りリンク設定関連ＤＬ  ＨＡＲＱタイムラインに従うように定義されることもできる。
【００９０】
第５方案の適用によって、クロス−スケジューリング方式設定状況（すなわち、ＳＣｅｌｌがＰＣｅｌｌの上りリンク−下りリンク設定関連ＤＬ  ＨＡＲＱタイムラインに従う）の下でＳＣｅｌｌ（すなわち、Ｃｅｌｌ＃Ｂ）ＤＬ  ＳＦ＃Ｎ関連ＤＬ  ＨＡＲＱタイムラインが定義されない問題を解決することができる。また、第５方案が適用される場合、（例外的に）前もって定義されるかシグナリングされたＰＵＣＣＨフォーマット（例えば、ＰＵＣＣＨフォーマット３）を使うように設定されることもできる。
【００９１】
第６方案
本発明によると、特定の端末にＤＵＡＬ  ＣＯＮＮＥＣＴＩＶＩＴＹ（例えば、ＩＮＴＲＡ＿ＢＤ＿ＣＡＷ／ＤＩＦＦ＿ＣＯＮＦＩＧ）方式でＣｅｌｌ＃Ａ（ＰＣｅｌｌ）とＣｅｌｌ＃Ｂ（ＳＣｅｌｌ）が設定された場合、該当セルはｉ）特定のＵＬ  ＳＦに関連した（ＤＹＮＡＭＩＣあるいはＳＥＭＩ−ＳＴＡＴＩＣ）上りリンク信号／チャネルスケジューリングを遂行しないことにするという情報、あるいはｉｉ）特定のＵＬ  ＳＦに関連した（ＤＹＮＡＭＩＣあるいはＳＥＭＩ−ＳＴＡＴＩＣ）上りリンク信号／チャネルスケジューリングを遂行することにするという情報を、前もって定義されたチャネル（例えば、Ｘ２インターフェースあるいは無線チャネル）を介して交換するように設定されることもできる。
【００９２】
ここで、該当情報はＵＥ−特定情報（ＵＥ−Ｓｐｅｃｉｆｉｃ  Ｉｎｆｏｒｍａｔｉｏｎ）の形態に定義されることもできる。すなわち、Ｃｅｌｌ＃Ａ（例えば、Ｍａｃｒｏ  ｅＮＢ、ＰＣｅｌｌ（Ｍａｓｔｅｒ  Ｃｅｌｌ  Ｇｒｏｕｐ、ＭＣＧ））の観点では、特定の端末には特定のＵＬ  ＳＦ＃Ｋで（ＤＹＮＡＭＩＣあるいはＳＥＭＩ−ＳＴＡＴＩＣ）上りリンク信号／チャネルスケジューリングを遂行しないとしても（あるいは避けても）、他の端末には該当ＵＬ  ＳＦ＃Ｋで（ＤＹＮＡＭＩＣあるいはＳＥＭＩ−ＳＴＡＴＩＣ）上りリンク信号／チャネルスケジューリングを遂行することによって無線リソース活用度を高めることもできる。
【００９３】
さらに他の例として、該当ＵＥ−特定情報は全てのＵＬ  ＳＦ上に、特定の端末のための（ＤＹＮＡＭＩＣあるいはＳＥＭＩ−ＳＴＡＴＩＣ）上りリンク信号／チャネルスケジューリングを遂行する優先順位を付与する形態に具現されることができる。例えば、該当の特定の端末のために最高の確率で（ＤＹＮＡＭＩＣあるいはＳＥＭＩ−ＳＴＡＴＩＣ）上りリンク信号／チャネルスケジューリングを遂行するＵＬ  ＳＦから最低の確率で（ＤＹＮＡＭＩＣあるいはＳＥＭＩ−ＳＴＡＴＩＣ）上りリンク信号／チャネルスケジューリングを遂行するＵＬ  ＳＦまでの順序を知らせるように具現されることもできる。
【００９４】
さらに他の例として、本方案はＣｅｌｌ＃Ａ（例えば、Ｍａｃｒｏ  ｅＮＢ、ＰＣｅｌｌ（ＭＣＧ））とＣｅｌｌ＃Ｂ（例えば、Ｐｉｃｏ  ｅＮＢ、ＳＣｅｌｌ（Ｓｅｃｏｎｄａｒｙ  Ｃｅｌｌ  Ｇｒｏｕｐ、ＳＣＧ））がＤＵＡＬ  ＣＯＮＮＥＣＴＩＶＩＴＹ（例えば、ＩＮＴＲＡ＿ＢＤ＿ＣＡＷ／ＤＩＦＦ＿ＣＯＮＦＩＧ）方式で設定／連結された場合にのみ限定的に適用されるように設定されることもできる。
【００９５】
また、Ｃｅｌｌ＃Ａ（例えば、Ｍａｃｒｏ  ｅＮＢ、ＰＣｅｌｌ（ＭＣＧ））から該当情報を受信したＣｅｌｌ＃Ｂ（例えば、Ｐｉｃｏ  ｅＮＢ、ＳＣｅｌｌ（ＳＣＧ））は、Ｃｅｌｌ＃Ａが（ＤＹＮＡＭＩＣあるいはＳＥＭＩ−ＳＴＡＴＩＣ）上りリンク信号／チャネルスケジューリングを遂行しない少なくとも一部（すなわち、一部あるいは全部）のＵＬ  ＳＦであるとともに自分の上りリンク−下りリンク設定上でＤＬ  ＳＦである領域（一部あるいは全部）で、第１方案が限定的に適用されるように、関連情報を該当の特定の端末にシグナリングすることもできる。ここで、Ｃｅｌｌ＃Ａ（すなわち、Ｍａｃｒｏ  ｅＮＢ、ＰＣｅｌｌ（ＭＣＧ））の該当ＵＬ  ＳＦ（すなわち、Ｃｅｌｌ＃Ｂ（Ｐｉｃｏ  ｅＮＢ、ＳＣｅｌｌ（ＳＣＧ））の上りリンク−下りリンク設定上ではＤＬ  ＳＦ）では（ＤＹＮＡＭＩＣあるいはＳＥＭＩ−ＳＴＡＴＩＣ）上りリンク信号／チャネルスケジューリングが遂行されないので、特定の端末は第１方案によって、同一時点のＣｅｌｌ＃ＢのＤＬ  ＳＦ上で常に（Ｅ）ＰＤＣＣＨブラインドデコーディング（及び／又はＰＤＳＣＨ受信動作）を遂行するようになる。
【００９６】
さらに他の例として、Ｃｅｌｌ＃Ａ（例えば、Ｍａｃｒｏ  ｅＮＢ、ＰＣｅｌｌ（ＭＣＧ））から特定のＵＬ  ＳＦに関連した（ＤＹＮＡＭＩＣあるいはＳＥＭＩ−ＳＴＡＴＩＣ）上りリンク信号／チャネルスケジューリングを遂行しないことにするという情報を受信したＣｅｌｌ＃Ｂ（例えば、Ｐｉｃｏ  ｅＮＢ、ＳＣｅｌｌ（ＳＣＧ））は、該当情報を特定の端末に前もって定義されたシグナリングによって知らせることもできる。
【００９７】
例えば、このような情報を受信した特定の端末は、Ｃｅｌｌ＃Ａ（Ｍａｃｒｏ  ｅＮＢ、ＰＣｅｌｌ（ＭＣＧ））が（ＤＹＮＡＭＩＣあるいはＳＥＭＩ−ＳＴＡＴＩＣ）上りリンク信号／チャネルスケジューリングを遂行しないＵＬ  ＳＦであるとともにＣｅｌｌ＃Ｂ（Ｐｉｃｏ  ｅＮＢ、ＳＣｅｌｌ（ＳＣＧ））の上りリンク−下りリンクの設定上でＤＬ  ＳＦであるサブフレームで、第１方案によって、Ｃｅｌｌ＃Ｂ関連（Ｅ）ＰＤＣＣＨブラインドデコーディング（及び／又はＰＤＳＣＨ受信動作）を暗黙的に遂行することができる。
【００９８】
上述した本発明の方案／実施例／設定／規則はそれぞれ一つの独立的な実施例に具現されることができ、上述した方案／実施例／設定／規則の中で少なくとも一部の組合せあるいは併合の形態に具現されることもできる。
【００９９】
また、上述した本発明の方案／実施例／設定／規則についての情報あるいは該当方案／実施例／設定／規則の適用可否についての情報などは、基地局が端末に前もって定義されたシグナル（例えば、物理階層あるいは上位階層シグナル）を介して知らせることができる。
【０１００】
また、上述した本発明の実施例はＴＤＤ  ＣｅｌｌとＦＤＤ  Ｃｅｌｌが搬送波集成技法（ＣＡ）に用いられる場合にも拡張して適用することができる。また、上述した本発明の実施例はＩＮＴＲＡ＿ＢＤ＿ＣＡＷ／ＤＩＦＦ＿ＣＯＮＦＩＧ関連セルの間にガード帯域幅（ＧＵＡＲＤ  ＢＡＮＤ）が設定された場合にも拡張して適用することができる。
【０１０１】
また、上述した本発明の実施例は端末がＮＯＮ−ＤＲＸＭＯＤＥである場合にのみ限定的に適用されるように設定されることもできる。
【０１０２】
また、上述した本発明の実施例は３個以上のセルが搬送波集成技法（ＣＡ）に用いられる場合にも拡張して適用することができる。
【０１０３】
上述した本発明の実施例は、搬送波集成技法（ＣＡ）が適用された状況の下で、セルフ−スケジューリング（ＳＥＬＦ  ＳＣＨＥＤＵＬＩＮＧ）技法あるいはクロス−スケジューリング（ＣＲＯＳＳ  ＳＣＨＥＤＵＬＩＮＧ）が設定された場合にのみ限定的に適用することもできる。
【０１０４】
また、上述した本発明の実施例は表３及び表４の設定が適用されない状況の下で、独立的に使うこともできる。
【０１０５】
図１２は本発明の一実施例に適用可能な基地局及び端末を例示する。
【０１０６】
無線通信システムにリレーが含まれる場合、バックホールリンクで通信は基地局とリレーの間でなされ、アクセスリンクで通信はリレーと端末の間でなされる。したがって、図面に例示した基地局又は端末は状況に合わせてリレーに取り替えることができる。
【０１０７】
図１２を参照すると、無線通信システムは、基地局（ＢＳ）１１０及び端末（ＵＥ）１２０を含む。基地局１１０は、プロセッサ１１２、メモリ１１４及び無線周波数（Ｒａｄｉｏ  Ｆｒｅｑｕｅｎｃｙ、ＲＦ）ユニット１１６を含む。プロセッサ１１２は本発明で提案した手順及び／又は方法を具現するように構成されることができる。メモリ１１４はプロセッサ１１２に連結され、プロセッサ１１２の動作に係わる多様な情報を記憶する。ＲＦユニット１１６はプロセッサ１１２に連結され、無線信号を送信及び／又は受信する。端末１２０は、プロセッサ１２２、メモリ１２４及びＲＦユニット１２６を含む。プロセッサ１２２は本発明で提案した手順及び／又は方法を具現するように構成されることができる。メモリ１２４はプロセッサ１２２に連結され、プロセッサ１２２の動作に係わる多様な情報を記憶する。ＲＦユニット１２６はプロセッサ１２２に連結され、無線信号を送信及び／又は受信する。基地局１１０及び／又は端末１２０は単一アンテナ又は多重アンテナを有することができる。
【０１０８】
以上で説明した実施例は、本発明の構成要素と特徴が所定形態に結合されたものである。各構成要素又は特徴は、別途の明示的言及がない限り、選択的なものとして考慮しなければならない。各構成要素又は特徴は、他の構成要素や特徴と結合されない形態で実施することができる。また、一部の構成要素及び／又は特徴を結合して本発明の実施例を構成することも可能である。本発明の実施例で説明する各動作の順序は変更可能である。いずれかの実施例の一部の構成や特徴は、他の実施例に含ませることができ、又は、他の実施例の対応する構成又は特徴に取り替えることができる。特許請求の範囲で明示的な引用関係のない請求項を組み合せて実施例を構成するか、出願後の補正によって新しい請求項として含ませ得ることは自明である。
【０１０９】
本文書で基地局によって遂行されると説明した特定の動作は場合によってはその上位ノード（ｕｐｐｅｒ  ｎｏｄｅ）によって遂行されることができる。すなわち、基地局を含む複数のネットワークノード（ｎｅｔｗｏｒｋ  ｎｏｄｅｓ）からなるネットワークで端末との通信のために行われる多様な動作は基地局又は基地局以外の他のネットワークノードによって遂行されることができるのは自明である。基地局は固定局（ｆｉｘｅｄ  ｓｔａｔｉｏｎ）、ＮｏｄｅＢ、ｅＮｏｄｅＢ（ｅＮＢ）、アクセスポイント（ａｃｃｅｓｓ  ｐｏｉｎｔ）などの用語に取り替えることができる。
【０１１０】
本発明の実施例は、多様な手段、例えば、ハードウェア、ファームウェア（ｆｉｒｍｗａｒｅ）、ソフトウェア又はそれらの組合せなどによって具現することができる。ハードウェアによる具現の場合、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０１１１】
ファームウェアやソフトウェアによる具現の場合、本発明の一実施例は、以上で説明した機能又は動作を行うモジュール、手続、関数などの形態に具現することができる。ソフトウェアコードは、メモリユニットに格納してプロセッサによって駆動することができる。メモリユニットは、プロセッサの内部又は外部に位置し、既に公知の多様な手段によってプロセッサとデータをやり取りすることができる。
【０１１２】
本発明は、本発明の特徴を逸脱しない範囲で他の特定の形態に具体化できることは当業者にとって自明である。よって、前記の詳細な説明は、全ての面で制限的に解釈してはならなく、例示的なものとして考慮しなければならない。本発明の範囲は、添付の請求項の合理的解釈によって決定しなければならなく、本発明の等価的範囲内での全ての変更は本発明の範囲に含まれる。
【産業上の利用可能性】
【０１１３】
前述したような搬送波集成を支援する無線通信システムにおいて信号送受信方法及びそのための装置は３ＧＰＰ  ＬＴＥシステムに適用される例を中心に説明したが、３ＧＰＰ  ＬＴＥシステム以外にも多様な無線通信システムに適用することが可能である。
【図１】
0006445142.tif 000008
【図２】
0006445142.tif 000009
【図３】
0006445142.tif 000010
【図４】
0006445142.tif 000011
【図５】
0006445142.tif 000012
【図６】
0006445142.tif 000013
【図７】
0006445142.tif 000014
【図８】
0006445142.tif 000015
【図９】
0006445142.tif 000016
【図１０】
0006445142.tif 000017
【図１１】
0006445142.tif 000018
【図１２】
0006445142.tif 000019